(57)【要約】【課題】本発明は、ヘッドホンアセンブリ、それを具備するヘッドマウントヘッドホン及びヘッドマウント表示装置に関するものである。【解決手段】ヘッドホンアセンブリは左側イヤーマフと右側イヤーマフを備え、左側及び／又は右側のイヤーマフにはタッチモジュールが設置され、タッチモジュールは第一タッチ部品及び第二タッチ部品を備える。第二タッチ部品は第一タッチ部品の周辺を囲んで設置される。第一タッチ部品はユーザーのタッチ操作を受信してヘッドホンアセンブリに第一類タッチコマンドを入力し、第二タッチ部品はユーザーのタッチ操作を受信してヘッドホンアセンブリに第二類タッチコマンドを入力し、第一類タッチコマンドと第二類タッチコマンドは異なる。タッチモジュールはヘッドホンアセンブリに物理的ボタンを設けることを必要としなく、ヘッドホンアセンブリの美観を向上させ、ユーザーの使用上の利便性を向上させる。【選択図】図４
2019533403.tif 000002
【特許請求の範囲】
【請求項１】
左側イヤーマフと右側イヤーマフを備えるヘッドホンアセンブリであって、
前記左側イヤーマフ及び／又は前記右側イヤーマフにはタッチモジュールが設置されており、
前記タッチモジュールは第一タッチ部品及び前記第一タッチ部品を囲む第二タッチ部品を備え、前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なることを特徴とするヘッドホンアセンブリ。
【請求項２】
前記第一類タッチコマンドは、前記ヘッドホンアセンブリによって再生されるオーディオファイルに制御コマンドを与えるために用いられ、
前記第二類タッチコマンドは、前記ヘッドホンアセンブリの音量を調整するために用いられることを特徴とする請求項１に記載のヘッドホンアセンブリ。
【請求項３】
前記ヘッドホンアセンブリはケースを備え、前記ケースには円形孔が形成されており、前記第一タッチ部品は前記ケースの円形孔位置に設置されて前記ケースから外部に露出され、前記第二タッチ部品は前記ケースの下方に覆われることを特徴とする請求項２に記載のヘッドホンアセンブリ。
【請求項４】
前記第一タッチ部品のタッチ電極の密度は前記第二タッチ部品のタッチ電極の密度より大きいことを特徴とする請求項２に記載のヘッドホンアセンブリ。
【請求項５】
前記第一タッチ部品は円形であり、前記第二タッチ部品は円環状であり、前記第一タッチ部品の円形の円心と前記第二タッチ部品の円環の円心は同心に配置されることを特徴とする請求項１に記載のヘッドホンアセンブリ。
【請求項６】
前記ヘッドホンアセンブリは頭部装着部を更に備え、前記頭部装着部は前記左側イヤーマフと前記右側イヤーマフを接続するために用いられることを特徴とする請求項１に記載のヘッドホンアセンブリ。
【請求項７】
左側イヤーマフと、右側イヤーマフと、前記左側イヤーマフ及び前記右側イヤーマフを接続する頭部装着部と、を備えるヘッドマウントヘッドホンであって、
前記左側イヤーマフ及び／又は前記右側イヤーマフにはタッチモジュールが設置されており、
前記タッチモジュールは第一タッチ部品及び前記第一タッチ部品を囲む第二タッチ部品を備え、前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なることを特徴とするヘッドマウントヘッドホン。
【請求項８】
前記第一類タッチコマンドは、前記ヘッドホンアセンブリによって再生されるオーディオファイルを制御するために用いられ、
前記第二類タッチコマンドは、前記ヘッドホンアセンブリの音量を調整するために用いられることを特徴とする請求項７に記載のヘッドマウントヘッドホン。
【請求項９】
前記第一タッチ部品のタッチ電極の密度は前記第二タッチ部品のタッチ電極の密度より大きいことを特徴とする請求項８に記載のヘッドマウントヘッドホン。
【請求項１０】
前記第一タッチ部品は円形であり、前記第二タッチ部品は円環状であり、前記第一タッチ部品の円形の円心と前記第二タッチ部品の円環の円心は同心に配置されることを特徴とする請求項７に記載のヘッドマウントヘッドホン。
【請求項１１】
ヘッドマウントヘッドホン及び表示装置を備え、前記ヘッドマウントヘッドホンは音声情報を出力するために用いられ、前記表示装置はマルチメディア情報を表示するために用いられ、前記表示装置は前記ヘッドマウントヘッドホンに回転可能に固定され、前記ヘッドマウントヘッドホンは、左側イヤーマフと、右側イヤーマフと、前記左側イヤーマフ及び前記右側イヤーマフを接続する頭部装着部と、を備えるヘッドマウント表示装置であって、
前記左側イヤーマフ及び／又は前記右側イヤーマフにはタッチモジュールが設置されており、前記タッチモジュールは第一タッチ部品及び前記第一タッチ部品を囲む第二タッチ部品を備え、前記第二タッチ部品は前記第一タッチ部品を囲んで設置され、前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なることを特徴とするヘッドマウント表示装置。
【請求項１２】
前記第一類タッチコマンドは、前記ヘッドホンアセンブリによって再生されるオーディオファイルを制御するために用いられ、
前記第二類タッチコマンドは、前記ヘッドホンアセンブリの音量を調整するために用いられることを特徴とする請求項１１に記載のヘッドマウント表示装置。
【請求項１３】
前記第一タッチ部品のタッチ電極の密度は前記第二タッチ部品のタッチ電極の密度より大きいことを特徴とする請求項１１に記載のヘッドマウント表示装置。
【請求項１４】
前記第一タッチ部品は円形であり、前記第二タッチ部品は円環状であり、前記第一タッチ部品の円形の円心と前記第二タッチ部品の円環の円心は同心に配置されることを特徴とする請求項１３に記載のヘッドマウント表示装置。
【発明の詳細な説明】
【技術分野】
【０００１】
本発明は、音声再生装置に関し、特にヘッドホンアセンブリ、このヘッドホンアセンブリを具備するヘッドマウントヘッドホン及びヘッドマウント表示装置に関するものである。
【背景技術】
【０００２】
ヘッドマウントヘッドホンは音質を確保できる利点を有するので人々の注目を集めている。従来のヘッドマウントヘッドホンは、通常２つのヘッドホン本体と、２つのヘッドホン本体を接続する頭部装着部と、制御部と、を備える。ヘッドホン本体には通常、物理的ボタン又は物理的回転式スイッチが設けられている。ユーザーは物理的ボタン又は物理的回転式スイッチによりヘッドホンの音量を調節するか又は歌曲の再生を制御することができる。
【０００３】
しかしながら、ヘッドマウントヘッドホンに設けられる物理的ボタン又は回転式スイッチはヘッドマウントヘッドホンの外観の美感に大きい影響を与える。また、物理的ボタン又は回転式スイッチのサイズが小さいので、ユーザーは便利に操作することができない。
【発明の概要】
【０００４】
これに鑑み、上記した問題を解決するために、ユーザーが便利に操作することができるヘッドホンアセンブリ、このヘッドホンアセンブリを具備するヘッドマウントヘッドホン及びヘッドマウント表示装置を提供する必要がある。
【０００５】
前記目的を実現するために、本発明は、左側イヤーマフと右側イヤーマフを備えるヘッドホンアセンブリを提供する。前記左側イヤーマフ及び／又は前記右側イヤーマフにはタッチモジュールが設置されている。前記タッチモジュールは第一タッチ部品及び前記第一タッチ部品を囲む第二タッチ部品を備え、前記第二タッチ部品は前記第一タッチ部品を囲んで設置される。前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なる。
【０００６】
さらに、前記第一類タッチコマンドは、前記ヘッドホンアセンブリによって再生されるオーディオファイルを制御するために用いられ、前記第二類タッチコマンドは、前記ヘッドホンアセンブリの音量を調整するために用いられる
【０００７】
さらに、前記ヘッドホンアセンブリはケースを備え、前記ケースには円形孔が形成されており、前記第一タッチ部品は前記ケースの円形孔位置に設置されて前記ケースから外部に露出され、前記第二タッチ部品は前記ケースの下方に覆われる。
【０００８】
さらに、前記第一タッチ部品のタッチ電極の密度は前記第二タッチ部品のタッチ電極の密度より大きい。
【０００９】
さらに、前記第一タッチ部品は円形であり、前記第二タッチ部品は円環状であり、前記第一タッチ部品の円形の円心と前記第二タッチ部品の円環の円心は同心に配置される。
【００１０】
さらに、前記ヘッドホンアセンブリは頭部装着部を更に備え、前記頭部装着部は前記左側イヤーマフと前記右側イヤーマフを接続するために用いられる。
【００１１】
前記目的を実現するために、本発明は、左側イヤーマフと、右側イヤーマフと、前記左側イヤーマフ及び前記右側イヤーマフを接続する頭部装着部と、を備えるヘッドマウントヘッドホンを提供する。前記左側イヤーマフ及び／又は前記右側イヤーマフにはタッチモジュールが設置されている。前記タッチモジュールは第一タッチ部品及び前記第一タッチ部品を囲む第二タッチ部品を備える。前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なる。
【００１２】
さらに、前記第一類タッチコマンドは、前記ヘッドホンアセンブリによって再生されるオーディオファイルを制御するために用いられ、前記第二類タッチコマンドは、前記ヘッドホンアセンブリの音量を調整するために用いられる。
【００１３】
さらに、前記第一タッチ部品のタッチ電極の密度は前記第二タッチ部品のタッチ電極の密度より大きい。
【００１４】
さらに、前記第一タッチ部品は円形であり、前記第二タッチ部品は円環状であり、前記第一タッチ部品の円形の円心と前記第二タッチ部品の円環の円心は同心に配置される。
【００１５】
前記目的を実現するために、本発明は、ヘッドマウントヘッドホン及び表示装置を備えるヘッドマウント表示装置を提供する。前記ヘッドマウントヘッドホンは音声情報を出力するために用いられ、前記表示装置はマルチメディア情報を表示するために用いられる。前記表示装置は前記ヘッドマウントヘッドホンに回転可能に固定され、前記ヘッドマウントヘッドホンは、左側イヤーマフと、右側イヤーマフと、前記左側イヤーマフ及び前記右側イヤーマフを接続する頭部装着部と、を備える。前記左側イヤーマフ及び／又は前記右側イヤーマフにはタッチモジュールが設置されている。前記タッチモジュールは第一タッチ部品及び前記第一タッチ部品を囲む第二タッチ部品を備える。前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なる。
【００１６】
さらに、前記第一類タッチコマンドは、前記ヘッドホンアセンブリによって再生されるオーディオファイルを制御するために用いられ、前記第二類タッチコマンドは、前記ヘッドホンアセンブリの音量を調整するために用いられる。
【００１７】
さらに、前記第一タッチ部品のタッチ電極の密度は前記第二タッチ部品のタッチ電極の密度より大きい。
【００１８】
さらに、前記第一タッチ部品は円形であり、前記第二タッチ部品は円環状であり、前記第一タッチ部品の円形の円心と前記第二タッチ部品の円環の円心は同心に配置される。
【００１９】
従来の技術に比べて、本発明に係わるヘッドホンアセンブリ、このヘッドホンアセンブリを具備するヘッドマウントヘッドホン及びヘッドマウント表示装置において、イヤーマフにはタッチモジュールが設置されており、ユーザーは前記タッチモジュールをタッチすることにより、前記ヘッドホンアセンブリを制御することができる。従ってヘッドホンアセンブリに物理的ボタンを設けることを必要としなく、ユーザーの使用上の利便性を向上させるばかりではなく、ヘッドホンアセンブリの外部の美観を向上させる。
【図面の簡単な説明】
【００２０】
以下の図面は、具体的な実施形態と結合して本発明の各実施形態を詳細に説明するために用いられる。図面に示された各部品は実際の大きさと比例関係を表すものではなく、明確に説明するために示された概略図だけであり、本発明を限定するものではないと、理解されるべきである。
【図１】本発明の実施形態に係るヘッドマウント表示装置の立体図である。
【図２】図１に示されたヘッドマウント表示装置の分解図である。
【図３】図１に示されたヘッドマウント表示装置のヘッドマウントヘッドホンの分解図である。
【図４】図１に示されたヘッドマウント表示装置のヘッドマウントヘッドホンの別の視角の分解図である。  以下、図面を参照して、本発明をより詳細に説明する。
【発明を実施するための形態】
【００２１】
以下、本発明の目的、技術的事項及び利点をより明確にするために、具体的な実施形態及び添付の図面を参照しがら、本発明をより詳細に説明する。ここの具体的な実施形態はただ本発明を説明するためのものであり、本発明を限定するものではないと理解されるべきである。且つ、図面に示されたものは本発明の各部品の実際の比例関係を代表しなく、単に例示的なものである。
【００２２】
図１を参照すると、本発明の実施形態に係るヘッドマウント表示装置１が示されている。前記ヘッドマウント表示装置１は、ヘッドマウントヘッドホン１０と、表示装置２０と、を備える。前記ヘッドマウントヘッドホン１０は、音声情報を出力するために用いられる。前記表示装置２０は、マルチメディア（ｍｕｌｔｉｍｅｄｉａ）情報を表示するために用いられ、例えば、ビデオファイル、画像、画面等を表示する。本実施形態において、前記表示装置２０は前記ヘッドマウントヘッドホン１０に回転可能に固定される。したがって、ユーザーは必要に応じてヘッドマウント表示装置１のヘッドマウントヘッドホン１０と表示装置２０との間の角度を便利に調節することができる。
【００２３】
さらに、前記表示装置２０は前記ヘッドマウントヘッドホン１０によって画定された収納空間内に収容することができ、即ち、前記表示装置２０と前記ヘッドマウントヘッドホン１０は一体に折り畳まれることができる。従ってユーザーが前記ヘッドマウント表示装置１を使用しないとき、前記ヘッドマウント表示装置１を収納することができる。ユーザーは前記ヘッドマウント表示装置１によって３Ｄ映像を視聴するか又は現実を模擬したゲームを遊ぶことができる。
【００２４】
図２を参照すると、前記ヘッドマウント表示装置１の分解図が示されている。前記ヘッドマウントヘッドホン１０は、ヘッドホンアセンブリ１１と、頭部装着部１２と、を備える。前記頭部装着部１２は前記ヘッドホンアセンブリ１１に接続され且つ前記ヘッドマウントヘッドホン１０をユーザーの頭部に装着させる。本実施形態において、前記頭部装着部は円弧形であり、且つプラスチック材料で製造される。
【００２５】
図３を参照すると、前記ヘッドホンアセンブリ１１は、左側イヤーマフ（ｅａｒ  ｍｕｆｆ）１１１及び右側イヤーマフ１１２を備える。前記頭部装着部１２は前記左側イヤーマフ１１１及び前記右側イヤーマフ１１２に接続される。本実施形態において、前記左側イヤーマフ１１１は端部１１３を備え、前記右側イヤーマフ１１２は前記端部１１３に対応される端部１１４を備える。前記頭部装着部１２は前記端部１１３，１１４にスライド可能に接続される。具体的に説明すると、前記端部１１３，１１４には前記頭部装着部１２の２つの末端を収納するために用いられる孔１１５が形成されている。前記頭部装着部１２の２つの末端は前記孔１１５内にスライド可能に収納される。このように前記頭部装着部１２の長さを調節することができるので、ユーザーは必要に応じてその長さを自由に調節することができる。前記表示装置２０は、前記ヘッドホンアセンブリ１１と類似したデザインを採用することにより、必要に応じて表示装置２０の長さを自由に調節することができると、理解されるべきである。
【００２６】
図４を参照すると、前記ヘッドホンアセンブリ１１は、少なくとも１つのタッチモジュール１１６を備える。本実施形態において、前記タッチモジュール１１６は前記左側イヤーマフ１１１又は前記右側イヤーマフ１１２に設置される。他の実施形態において、前記左側イヤーマフ１１１と前記右側イヤーマフ１１２にいずれも前記タッチモジュール１１６を設置することができる。具体的には、前記タッチモジュール１１６を前記左側イヤーマフ１１１又は前記右側イヤーマフ１１２の外側に設置することにより、ユーザーの操作の利便性を向上させることができる。
【００２７】
前記タッチモジュール１１６は第一タッチ部品１１７及び第二タッチ部品１１８を備える。前記第二タッチ部品１１８は前記第一タッチ部品１１７の周辺を囲んで設置される。本実施形態において、前記第一タッチ部品１１７は円形であり、前記第二タッチ部品１１８は円環状である。１つの実施形態において、前記第一タッチ部品１１７である円形の円心と前記第二タッチ部品１１８である円環の円心は同心に配置される。他の実施形態において、前記第一タッチ部品１１７である円形の円心と前記第二タッチ部品１１８である円環の円心は非同心に配置される。他の実施形態において、前記第一タッチ部品１１７は円形であり、前記第二タッチ部品１１８は正方形又は矩形であり、前記第一タッチ部品１１７である円形は前記第二タッチ部品１１８である正方形又は矩形に接している。他の実施形態において、前記第一タッチ部品１１７は矩形又は正方形であり、前記第二タッチ部品１１８は円形であり、前記第一タッチ部品１１７である矩形又は正方形は前記第二タッチ部品１１８である円形に接している。前記第一タッチ部品１１７と前記第二タッチ部品１１８はいずれも矩形又は正方形であることができると、理解されるべきである。
【００２８】
前記第一タッチ部品１１７は、前記ヘッドホンアセンブリ１１に第一類タッチコマンドを入力するために用いられる。前記第二タッチ部品１１８は、前記ヘッドホンアセンブリ１１に第二類タッチコマンドを入力するために用いられる。前記第一類タッチコマンドと第二類タッチコマンドは異なる。
【００２９】
本実施形態において、前記第一類タッチコマンドは前記ヘッドホンアセンブリ１１によって再生されるオーディオファイルを制御するために用いられ、例えば、一時停止、早送り、後退、切替等の操作を行う。前記切替操作は、現在のオーディオファイルから次のオーディオファイルに入るか、又は前回に再生したことがあるオーディオファイルに戻るか、又は現在のオーディオファイルの前にあるオーディオファイルを選択することを指す。前記一時停止操作は、現在再生されているオーディオファイルを停止させることを指す。前記早送り操作は、再生のプログレスバーを前進させるように制御することを指す。前記後退操作は、再生のプログレスバーを後退させるように制御することを指す。
【００３０】
本実施形態において、前記第二類タッチコマンドは前記ヘッドホンアセンブリ１１の音量の大きさを調整するために用いられる。具体的には、ユーザーの前記第二タッチ部品１１８に対するタッチ操作方向に基づいて、前記ヘッドホンアセンブリ１１の音量を増大するか又は減少し、例えば、時計回りのタッチ操作によって前記ヘッドホンアセンブリ１１の音量を増大するか、又は反時計回りにタッチ操作によって前記ヘッドホンアセンブリ１１の音量を減少することができる。これとともに、音量調節の大きさはユーザーがタッチ操作するときのスライド距離に係わり、例えば、ユーザーがタッチ操作するときのスライド距離が大きければ大きいほど、音量調節量が大きくなる。前記第一タッチ部品１１７が受信するタッチコマンドは前記第二タッチ部品１１８が受信するタッチコマンドより多いので、前記第一タッチ部品１１７が使用するタッチ電極の密度は前記第二タッチ部品１１８が使用するタッチ電極の密度より高い。これによりヘッドマウント表示装置１のコストを低減することができる。
【００３１】
他の実施形態において、前記第一類タッチコマンドは、前記表示装置２０が表示するビデオファイルを制御して、一時停止、早送り、後退、切替等の操作を行うために用いられる。
【００３２】
前記ヘッドホンアセンブリ１１は、ケース１１９を更に備える。前記ケース１１９には円形孔が形成されている。前記第一タッチ部品１１７は、前記ケース１１９の円形孔位置に設置される。従って前記第一タッチ部品１１７はケース１１９から外部に露出される。前記第二タッチ部品１１８は前記ケース１１９の下方に設置され、即ち第二タッチ部品１１８は前記ケース１１９の下方に覆われる。
【００３３】
前記ヘッドホンアセンブリ１１はマイクロプロセッサ（図示せず）を更に備えると、理解されるべきである。前記マイクロプロセッサはユーザーが前記第一タッチ部品１１７と第二タッチ部品１１８に与える操作を識別して対応するコマンドを生成し、且つコマンドに対応する操作を実行するためにアプリケーションプログラムを制御し、例えば、再生されるオーディオファイルの音量を制御し且つ前記ヘッドホンアセンブリ１１が再生するオーディオファイルを制御する。
【００３４】
従来の技術に比べて、本発明に係わるヘッドホンアセンブリ、このヘッドホンアセンブリを具備するヘッドマウントヘッドホン及びヘッドマウント表示装置は、イヤーマフにタッチモジュールを設置して、ユーザーが前記タッチモジュールをタッチすることにより、前記ヘッドホンアセンブリを制御することができる。前記タッチモジュールはユーザー操作の利便性を向上させ、ヘッドマウントヘッドホンに物理的ボタンを設けることを必要としなく、ヘッドマウントヘッドホンの外部の美観を向上させることができる。
【００３５】
上述したのは本発明の好ましい実施形態であり、本発明の範囲を限定するものではない。当業者であれば、本発明の精神及び要旨を逸脱しない範囲内で修正、同等の変更、改良が行われたとしても、本発明の範囲に属するものであると、理解されるべきである。
【図１】
2019533403.tif 000003
【図２】
2019533403.tif 000004
【図３】
2019533403.tif 000005
【図４】
2019533403.tif 000006
【手続補正書】
【提出日】平成31年3月6日(2019.3.6)
【手続補正１】
【補正対象書類名】明細書
【補正対象項目名】０００５
【補正方法】変更
【補正の内容】
【０００５】
前記目的を実現するために、本発明は、左側イヤーマフと右側イヤーマフを備えるヘッドホンアセンブリを提供する。前記左側イヤーマフ及び／又は前記右側イヤーマフにはタッチモジュールが設置されている。前記タッチモジュールは第一タッチ部品及び前記第一タッチ部品を囲む第二タッチ部品を備える。前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なる。
【手続補正２】
【補正対象書類名】明細書
【補正対象項目名】００２５
【補正方法】変更
【補正の内容】
【００２５】
図３を参照すると、前記ヘッドホンアセンブリ１１は、左側イヤーマフ（ｅａｒ  ｍｕｆｆ）１１１及び右側イヤーマフ１１２を備える。前記頭部装着部１２は前記左側イヤーマフ１１１及び前記右側イヤーマフ１１２に接続される。本実施形態において、前記左側イヤーマフ１１１は端部１１３を備え、前記右側イヤーマフ１１２は前記端部１１３に対応される端部１１４を備える。前記頭部装着部１２は前記端部１１３，１１４にスライド可能に接続される。具体的に説明すると、前記端部１１３，１１４には前記頭部装着部１２の２つの末端を収納するために用いられる孔１１５が形成されている。前記頭部装着部１２の２つの末端は前記孔１１５内にスライド可能に収納される。このように前記頭部装着部１２の長さを調節することができるので、ユーザーは必要に応じてその長さを自由に調節することができる。前記表示装置２０は、前記頭部装着部１２と類似したデザインを採用することにより、必要に応じて表示装置２０の長さを自由に調節することができると、理解されるべきである。
【手続補正３】
【補正対象書類名】特許請求の範囲
【補正対象項目名】請求項１１
【補正方法】変更
【補正の内容】
【請求項１１】
ヘッドマウントヘッドホン及び表示装置を備え、前記ヘッドマウントヘッドホンは音声情報を出力するために用いられ、前記表示装置はマルチメディア情報を表示するために用いられ、前記表示装置は前記ヘッドマウントヘッドホンに回転可能に固定され、前記ヘッドマウントヘッドホンは、左側イヤーマフと、右側イヤーマフと、前記左側イヤーマフ及び前記右側イヤーマフを接続する頭部装着部と、を備えるヘッドマウント表示装置であって、
前記左側イヤーマフ及び／又は前記右側イヤーマフにはタッチモジュールが設置されており、前記タッチモジュールは第一タッチ部品及び前記第一タッチ部品を囲む第二タッチ部品を備え、前記第一タッチ部品はユーザーのタッチ操作を受信して前記ヘッドホンアセンブリに第一類タッチコマンドを入力するために用いられ、前記第二タッチ部品はユーザーのタッチ操作を受信して前記ヘッドホンアセンブリに第二類タッチコマンドを入力するために用いられ、前記第一類タッチコマンドと前記第二類タッチコマンドは異なることを特徴とするヘッドマウント表示装置。
【国際調査報告】
2019533403.tif 000007
2019533403.tif 000008
2019533403.tif 000009
2019533403.tif 000010